(57)【要約】【課題】カバーの剛性を向上することにより、カバーとフレームとを長手方向において係合させることで組み立てられる光源ユニットの、組み立て性を向上する。【解決手段】光源ユニット２００Ａは、発光部２１０を覆うカバー２３０を備えている。カバー２３０は、主カバー部２３１、フレーム固定部２３６、凸部２３５を有する。主カバー部２３１は、カバー２３０は、長尺に形成され発光部２１０を覆う。フレーム固定部２３６は、フレーム２２０の一部がはまりフレームを固定する。一対をなす凸部２３５−１及び凸部２３５−２は、主カバー部２３１との間でフレーム２２０を挟む位置に配置され、主カバー部２３１から離れる方向へ突設し、かつ、長手方向にそって突設するとともに、長手方向を法線方向とする断面において突設する方向に凸となる外形であり内部に空間が形成されているくり抜き凸形状の断面形状である。【選択図】図１９
2019009095.tif 000002
【特許請求の範囲】
【請求項１】
長尺に形成され、発光部が取り付けられたフレームと、
長尺に形成され前記発光部を覆う主カバー部、前記フレームの一部がはまり前記フレームを固定するフレーム固定部及び前記主カバー部との間で前記フレームを挟む位置に配置され、前記主カバー部から離れる方向へ突設し、かつ、長手方向にそって突設するとともに、前記長手方向を法線方向とする断面において突設する方向に凸となる外形であり内部に空間が形成されているくり抜き凸形状の断面形状の凸部を有するカバーと
を備える光源ユニット。
【請求項２】
前記凸部は、
前記くり抜き凸形状の一部の厚みが、前記一部以外の部分の厚みよりも前記長手方向に連続して厚い請求項１に記載の光源ユニット。
【請求項３】
前記カバーは、
前記凸部である第一の凸部と、前記凸部である第二の凸部とを備え、
前記第一の凸部と前記第二の凸部とは、
対向して配置されると共に、
前記第一の凸部は、
前記くり抜き凸形状の前記断面において、前記第二の凸部から離れる方向である外側方向の厚みの方が、前記第二の凸部に近づく方向である内側方向の厚みよりも厚く、
前記第二の凸部は、
前記くり抜き凸形状の前記断面において、前記第一の凸部から離れる方向である外側方向の厚みの方が、前記第一の凸部に近づく方向である内側方向の厚みよりも厚い、
請求項１または請求項２に記載の光源ユニット。
【請求項４】
請求項１から請求項３のいずれか一項に記載の光源ユニットと、
前記光源ユニットの一部が収容されている収容凹部を有する器具本体と、
を備え、
前記光源ユニットは、
前記凸部が前記収容凹部に収容される照明装置。
【発明の詳細な説明】
【技術分野】
【０００１】
この発明は、光源ユニット及び照明装置に関する。
【背景技術】
【０００２】
従来では、長尺形状をした光源ユニットと、この光源ユニットが取り付けられる器具本体とを備える照明装置がある。
【０００３】
例えば、特許文献１に記載されている照明装置は、カバーとフレームとを有しており、カバーをフレームに対して相対的に長手方向にスライドさせ係合させている。
【先行技術文献】
【特許文献】
【０００４】
【特許文献１】国際公開第２０１６／０５２４８６号パンフレット
【発明の概要】
【発明が解決しようとする課題】
【０００５】
特許文献１に記載の照明装置では、光源ユニットは、カバーとフレームとを長手方向において係合させて、光源ユニット２００を組み立てている。カバーは長手方向端部の開口の形状が変形していることがあるが、その場合、フレームとの係合時に相対的なスライドがし難い場合がある。その場合、金属材で形成されたフレームが樹脂で形成されたカバーを削ってしまい、カバー内側に傷がつくことも考えられ、光源ユニットの組み立て性の向上という課題がある。
【０００６】
また、特許文献１に記載の照明装置は、フレームが板状に薄く形成されている。その為、フレームがたわみやすく、結果として光源ユニットがたわむことも考えられる。この点においても、光源ユニットの光源ユニットの組み立て性の向上という課題がある。
【０００７】
この発明は、カバーとフレームとを長手方向において係合させることで組み立てられる光源ユニットの組み立て性を向上することを目的とする。
【課題を解決するための手段】
【０００８】
この発明の光源ユニットは、
長尺に形成され、発光部が取り付けられたフレームと、
長尺に形成され前記発光部を覆う主カバー部、前記フレームの一部がはまり前記フレームを固定するフレーム固定部及び前記主カバー部との間で前記フレームを挟む位置に配置され、前記主カバー部から離れる方向へ突設し、かつ、長手方向にそって突設するとともに、前記長手方向を法線方向とする断面において突設する方向に凸となる外形であり内部に空間が形成されているくり抜き凸形状の断面形状の凸部を有するカバーと
を備える。
【発明の効果】
【０００９】
この発明により、カバーとフレームとを長手方向において係合させることで組み立てられる光源ユニットの組み立て性を向上できる。
【図面の簡単な説明】
【００１０】
【図１】実施の形態１の図で、における照明装置１の斜視図。
【図２】実施の形態１の図で、図１のＡ−Ａ′断面図。
【図３】実施の形態１の図で、照明装置１の分解傾斜視図。
【図４】実施の形態１の図で、器具本体１００の斜視図。
【図５】実施の形態１の図で、バネ１４０及び連結金具２６０の斜視図。
【図６】実施の形態１の図で、図３のＢ−Ｂ′断面図。
【図７】実施の形態１の図で、光源ユニット２００の分解断面図。
【図８】実施の形態１の図で、光源ユニット２００の長手方向端部の分解斜視図。
【図９】実施の形態１の図で、図８の側面図に相当する図。
【図１０】実施の形態１の図で、光源ユニット２００の組み立て方法を示す図。
【図１１】実施の形態１の図で、図１０の（ｃ）の第二蓋部２４２を除く拡大図。
【図１２】実施の形態１の図で、図１０の（ｄ）の拡大図。
【図１３】実施の形態１の図で、図９のＸ２方向から見た第一蓋部２４１及び第二蓋部２４２の斜視図。
【図１４】実施の形態１の図で、第一蓋部２４１に第二蓋部２４２を取り付けた状態のＸ２方向の斜視図。
【図１５】実施の形態１の図で、光源ユニット２００を図９のＢ−Ｂ断面の位置で切断した状態における、端部ユニット２４０側の斜視図。
【図１６】実施の形態１の図で、第二蓋部２４２の５面図。
【図１７】実施の形態１の図で、第一蓋部２４１と第二蓋部２４２との嵌合状態、及び光源ユニット２００の断面を示す図。
【図１８】実施の形態１の図で、図１７のＡ部の拡大図。
【図１９】実施の形態１の図で、図１７のＢ部の拡大図。
【図２０】実施の形態１の図で、光源ユニット２００の変形例１である光源ユニット２００−１を示す図。
【図２１】実施の形態１の図で、光源ユニット２００−１の組み立て方法を示す図。
【図２２】実施の形態１の図で、光源ユニット２００の変形例２である光源ユニット２００−２の構成を説明する斜視図。
【図２３】実施の形態２の図で、光源ユニット２００Ａの断面図。
【図２４】実施の形態３の図で、光源ユニット２００Ｂの断面図。
【図２５】実施の形態３の図で、光源ユニット２００Ｂの変形例である光源ユニット２００Ｂ−１の断面図。
【図２６】実施の形態３の図で、光源ユニット２００Ｂの変形例である光源ユニット２００Ｂ−２の断面図。
【発明を実施するための形態】
【００１１】
実施の形態１．
実施の形態１における照明装置１の構成について説明する。実施の形態１の照明装置１の特徴は、主に光源ユニット２００の端部ユニット２４０にある。
【００１２】
実施の形態１では、本発明に係わる照明装置１の一例として、天井のような被取付部に取り付けられる、逆富士形の照明装置１について説明する。以下の説明において、便宜上、長手方向を長手方向Ｘ、長手方向Ｘに対する短手方向を短手方向Ｙとし、長手方向Ｘ及び短手方向Ｙそれぞれに直交する方向を上下方向Ｚとする。また、照明装置１が取り付けられる天井のような被取付面側を上方向Ｚ１とし、上方向Ｚ１と反対側であり照明装置１が光を照射する側を下方向Ｚ２とする。
【００１３】
＊＊＊構成の説明＊＊＊
（照明装置１）
図１は、照明装置１の斜視図である。図２は、図１のＡ−Ａ′断面図である。図３は、照明装置１の分解傾斜視図である。図４は、器具本体１００の斜視図である。図５はバネ１４０と連結金具２６０を示す。図１及び図３に示すように、照明装置１は、被取付部に当接するように設置される器具本体１００と、器具本体１００に脱着可能に取り付けられる光源ユニット２００とを備えている。光源ユニット２００は器具本体１００に一部が挿入されて取り付けられている。
【００１４】
（器具本体１００）
図３及び図４を参照して、器具本体１００の各部の構成を説明する。器具本体１００は、ボルトのような固定具を用いて被取付部に取り付けられる。器具本体１００は、取付部１１０、側板１２０、端子台１３０及びバネ１４０を備えている。取付部１１０は、光源ユニット２００の一部が挿入された状態で光源ユニット２００が取り付けられる。側板１２０は、取付部１１０の長手方向の端部を覆う。端子台１３０は、器具本体１００の外部から引き込まれた図示しない電源線が挿し込まれる。バネ１４０は、器具本体１００に対して、光源ユニット２００を保持する。
【００１５】
（取付部１１０）
取付部１１０は長手方向Ｘに沿って形成されている。取付部１１０は光源ユニット２００が挿入される収容凹部１１１と傾斜部１１２とを備えている。
【００１６】
（収容凹部１１１）
図２に示すように、収容凹部１１１は、底部１１１ａと、底部１１１ａのそれぞれの側辺から起立する一対の側部１１１ｂとから構成される。収容凹部１１１は、図２において、ａｂｃｄで示される凹形状の部分である。傾斜部１１２は図２において、ａからｅ１へ向かう部分と、ｄからｅ２へ向かう部分である。収容凹部１１１には、底部１１１ａと対向する位置に、光源ユニット２００が挿入される開口１１１ｃが形成される。開口１１１ｃは図４に、ｐｑｒｓとして示している。底部１１１ａには、商用電源から電力供給をうける為の図示しない電源線を引き込む電源引込孔１１１ａａと、固定具により被取付部へ固定する為の固定孔１１１ａｂが形成されている。図２に示すように、収容凹部１１１は、光源ユニット２００の一部が収容されている。具体的には、図２に示すように、基準線４０１よりも上側の部分が収容される。なお、基準線４０１は、基板２１１が配置されるフレーム２２０の配置面のＺ方向高さを基準としている。
【００１７】
（側板１２０）
側板１２０は、長手方向Ｘにおける取付部１１０の両端に配設されており、収容凹部１１１と傾斜部１１２を覆っている。
【００１８】
（端子台１３０）
図４に示すように、端子台１３０は、収容凹部１１１の底部１１１ａに固定されており、電源引込孔１１１ａａから引き込まれた図示しない電源線と接続し、商用電源から供給される電力を光源ユニット２００に供給する。端子台１３０は、矩形箱状に形成された端子台本体部１３１と、光源ユニット２００に電気的に接続する為の端子台接続部１３２とを備えている。端子台接続部１３２は、端子台電線１３２ａと、端子台電線１３２ａの先端に設けられた端子台コネクタ１３２ｂを備えている。
【００１９】
（バネ１４０）
図５の（ａ）は、バネ１４０の斜視図である。図４に示すように、バネ１４０は、収容凹部１１１の底部１１１ａに、長手方向Ｘに沿って対になるよう２つ配設されている。バネ１４０は、光源ユニット２００を器具本体１００に取り付ける取付機構の１つである。バネ１４０は、後述する連結金具２６０（図５の（ｂ））と係合する。バネ１４０は、ステンレス材料あるいはバネ鋼材のような弾性材料で形成されている。図５の（ａ）に示すように、バネ１４０は、底部１１１ａに固定されるバネ固定部１４１と、円弧形状をしたバネ円弧部１４２と、バネ円弧部１４２の先端に設けられ後述する連結金具２６０に引掛けられるバネ先端部１４３が設けられている。また、図４に示すように、対になるバネ１４０は、バネ先端部１４３が互いに反対方向を向くように底部１１１ａに配設されている。なお、バネ１４０は、板材の弾性材料を曲げて形成しても良く、線材の弾性材料を曲げて形成しても良い。
【００２０】
（光源ユニット２００）
図６は、図３のＢ−Ｂ′断面図である。
図７は、光源ユニット２００の分解断面図である。
図８は、光源ユニット２００の長手方向端部の分解斜視図である。
図９は、図８の側面図に相当する図である。
図１０は、光源ユニット２００の組み立て方法を示す図である。
図１１は、図１０の（ｃ）の第二蓋部２４２を除く拡大図である。
図１２は、図１０の（ｄ）の拡大図である。
図１３は、図９のＸ２方向から見た第一蓋部２４１及び第二蓋部２４２の斜視図である。
図１４は、第一蓋部２４１に第二蓋部２４２を取り付けた状態のＸ２方向の斜視図である。
図１５は、光源ユニット２００を図９のＢ−Ｂ断面の位置で切断した状態における、端部ユニット２４０側の斜視図である。
図１６は、第二蓋部２４２の５面図である。図１６に示す座標Ｘ，Ｙ，Ｚ１は図１に示す座標と同一である。
図１７は第一蓋部２４１と第二蓋部２４２との嵌合状態、及び光源ユニット２００の断面を示す図である。図１７の（ａ）は光源ユニット２００を図１のＸ方向から見た図である。図１７の（ｂ）は（ａ）のＣ−Ｃ断面における端部ユニット２４０の断面図であり、フレーム２２０及びカバー２３０は省略している。図１７の（ｃ）は（ａ）のＤ−Ｄ断面である。
図１８は、図１７のＡ部の拡大図である。
図１９は、図１７のＢ部の拡大図である。
図２、図３及び図６から図１９を参照して、光源ユニット２００の各部の構成を説明する。
図３に示すように、光源ユニット２００は長尺に形成されている。図３、図１０に示すように、光源ユニット２００は、発光部２１０、フレーム２２０、カバー２３０及び端部ユニット２４０を備えている。発光部２１０は、複数の発光素子を有する。図１には発光部２１０を構成する基板２１１及び発光素子２１２を破線で示した。なお、図１の破線は発光素子２１２の配置状況を示すためであるので、発光素子２１２の個数及び大きさは正確ではない。フレーム２２０は、発光部２１０が取付けられる。カバー２３０は、発光部２１０を覆うようにしてフレーム２２０に取り付けられる。図３のように端部ユニット２４０は、光源ユニット２００の長手方向Ｘの端部２３７（図８）に取り付けられる。また、光源ユニット２００は、発光部２１０へ電力を供給する電源装置２５０と、バネ１４０と係合する連結金具２６０を備えている。
【００２１】
（発光部２１０）
図１、図２に示すように、発光部２１０は、長手方向Ｘに沿って長尺に形成された基板２１１と、基板２１１に長手方向Ｘに沿って直線状に実装される複数の発光素子２１２とを備えている。なお、発光素子２１２は、実施の形態１では表面実装タイプのＬＥＤ素子を用いるが、ＣＯＢ型発光モジュールを用いても良いし、有機ＥＬ素子を用いても良い。
【００２２】
（フレーム２２０）
図６、図１０の（ｂ）に示すように、フレーム２２０は、長尺に形成され、発光部２１０が取り付けられている。フレーム２２０は、基板取付部２２１、フレーム側部２２２及び固定部２２３を備える。
（１）基板取付部２２１は、長手方向Ｘに沿って長尺の矩形板状に形成されている。
基板取付部２２１は図７の（ａ）におけるｆｇの部分である。
（２）フレーム側部２２２は、基板取付部２２１の長手側辺それぞれから基板取付部２２１と直交する方向に延出する一対の組をなす。フレーム側部２２２は図７の（ａ）におけるｆｅ及びｇｈの部分である。
（３）固定部２２３は、基板取付部２２１から斜めに突出している。固定部２２３は図７の（ａ）におけるｅ，ｅ１及びｈ，ｈ１の部分である。
【００２３】
なお、フレーム側部２２２は、基板２１１の端面２１３（図７）と対向するように基板取付部２２１の長手側辺から突設している。また、固定部２２３には、先端が曲げ加工されて形成された側部端部２２３ａがそれぞれ設けられている。曲げ加工はヘミング加工でも良いし、ロール加工でも良い。フレーム２２０は、板状の基板取付部２２１に対して、フレーム側部２２２と固定部２２３とを有していることで、剛性を向上させている。また、フレーム２２０は、フレーム側部２２２と、固定部２２３と、少なくとも２段階の曲げ加工とによって剛性が向上するので、断面がコの字状のフレームよりも薄型にできる。なお、フレーム２２０は板金を曲げ加工により形成することを前提に説明をおこなっているが、フレーム２２０の形状から得られる剛性向上及び薄型化の効果は、アルミ材を押し出して形成した場合にも得られる。
【００２４】
（カバー２３０）
図３に示すように、カバー２３０は、長尺に形成されている。詳細は後述するが、カバー２３０は、フレーム２２０を固定するフレーム固定部２３６を有する。フレーム固定部２３６は、第一押え部２３２ｂと第二押え部２３３ｂとによって構成される（図６、図７）。フレーム固定部２３６にはフレーム２２０の一部がはまり、フレーム固定部２３６はフレーム２２０を固定する。図８、図１０に示すように、カバー２３０は、長手方向Ｘの端部２３７が開放している。
【００２５】
カバー２３０は、発光部２１０を覆うように形成され、フレーム２２０に取り付けられる。カバー２３０は、乳白色のアクリル樹脂のような、拡散性を有する材料により形成されており、発光部２１０から照射される光を拡散する。図７に示すように、カバー２３０は、主カバー部２３１、内側部２３２、突設部２３３及び凸部２３５を備えている。
（１）主カバー部２３１は、発光部２１０を覆っており、器具本体１００に取り付けられた状態において、収容凹部１１１から突設した一対のカバー側部２３４を接続している。（２）内側部２３２は、カバー２３０の内面側に設けられており、反射部２３２ａと、第一押え部２３２ｂを有している。一方のカバー側部２３４の上端から、他方のカバー側部２３４に向かって延びている。反射部２３２ａは反射性能を有した樹脂材であり、光源ユニット２００の発光効率を向上させる。第一押え部２３２ｂは、後述する第二押え部２３３ｂとともにフレーム２２０の固定部２２３を保持する。反射部２３２ａには、基板２１１をフレーム２２０に固定する構成を加えてもよい。また、第一押え部２３２ｂも反射性を有した材料を用いても良い。第一押え部２３２ｂにも反射性を有した材料を用いることで、光源ユニット２００の発光効率を向上できる。
（３）突設部２３３はカバー側部２３４から上方へ突設している。突設部２３３は、カバー側部２３４の端部に設けられており、第二押え部２３３ｂと、第二挿込み部２４１ｂが挿し込まれる挿込部２３３ａ（図７）を有している。突設部２３３は、器具本体１００に取り付けられた状態において、収容凹部１１１に挿入されている（図２）。
（４）カバー側部２３４は、主カバー部２３１と、内側部２３２及び突設部２３３とを接続している壁形状の部分である。
（５）カバー２３０は、透過性及び拡散性に優れた材料と、反射性に優れた材料とを有している。カバー２３０は、二色成形などの加工方法により一体に形成されている。なお、主カバー部２３１を透過性及び拡散性に優れた材料で、内側部２３２及び突設部２３３を反射性に優れた材料で、二色成形により一体に形成しても良い。カバー２３０に関しては後述のように、フレーム２２０は、第一押え部２３２ｂと第二押え部２３３ｂとで形成された溝２３８（図６、図７）に挿し込まれ、第一押え部２３２ｂと第二押え部２３３ｂとで固定される。
【００２６】
（端部ユニット２４０）
端部ユニット２４０は、図８、図９、図１３に示すように、第一蓋部２４１と、第二蓋部２４２とを備えている。第一蓋部２４１は、カバー２３０の長手方向Ｘの端部２３７に嵌め込まれ、取り付けられている。第二蓋部２４２は、第一蓋部２４１に挿し込まれて固定される。第二蓋部２４２は、フレーム２２０の端部であるフレーム端部２２７（図１０の（ｃ））との間に長手方向Ｘで隙間を設けて配置される。第二蓋部２４２の保持部２４２ｄは、フレーム２２０が長手方向Ｘにずれた場合にフレーム端部２２７に当たってフレーム２２０の移動を止める。
【００２７】
（第一蓋部２４１）
図８、図９、図１３に示すように、第一蓋部２４１は、第一挿込み部２４１ａ、第二挿込み部２４１ｂ、突起部２４１ｃ、固定片２４１ｄ、固定孔２４１ｅ及びガイド部２４１ｆを備えている。
（１）図１５、図１７の（ｃ）に示すように、第一挿込み部２４１ａは、カバー２３０の主カバー部２３１の内側に挿し込まれる。
（２）第二挿込み部２４１ｂは、突設部２３３の挿込部２３３ａが形成している開口２３３ａａに挿し込まれる。
（３）突起部２４１ｃは、図１８に示すような突起である。突起部２４１ｃは、図１１においてｑからｒまでの範囲にかけて連続して形成されている。なお、突起部２４１ｃは、ｑからｒまでの範囲に加えて、ｐからｑの範囲と、ｒからｓの範囲とのいずれか一方に形成されてもよいし、または両方に形成されてもよい。
また、図８に破線で示すように、第二蓋部２４２の蓋本体部２４２ａには、突起部２４１ｃが嵌る溝部２４２ａａが形成されている。図１８では、突起部２４１ｃと溝部２４２ａａとの嵌合状態を示している。図８に破線で示すように、溝部２４２ａａは、ｑからｒまでの範囲の突起部２４１ｃに適合する形状の溝である。
なお、実施の形態１では第一蓋部２４１に突起部２４１ｃを設け、第二蓋部２４２に溝部２４２ａａを設けているが、第一蓋部２４１に溝部を設け、第二蓋部２４２に突起部を設けでもよい。
（４）図１４に示すように、固定片２４１ｄには、第二蓋部２４２の爪部２４２ｂが引っ掛けられる。
（５）固定孔２４１ｅには、第二蓋部２４２の凸部２４２ｃが嵌め込まれる。
（６）ガイド部２４１ｆは、カバー２３０にフレーム２２０をスライドさせるときのガイドとなる。
【００２８】
（第二蓋部２４２）
図８、図９、図１３、図１６に示すように、第二蓋部２４２は、蓋本体部２４２ａ、爪部２４２ｂ、凸部２４２ｃ、保持部２４２ｄ及び押え部２４２ｅを備えている。
（１）蓋本体部２４２ａは、第一蓋部２４１が取り付けられた状態の長手方向の端部の開口を塞ぐ。蓋本体部２４２ａには、第一蓋部２４１の説明で述べたように溝部２４２ａａが形成されている。
（２）図１４に示すように、爪部２４２ｂは、固定片２４１ｄに引っ掛けられる。
（３）凸部２４２ｃは、固定孔２４１ｅへ嵌め込まれる。
（４）保持部２４２ｄ（図１６の（ｃ））は、フレーム２２０の長手方向Ｘの端部と間隔をおいて対向し、フレーム２２０が移動した場合にはフレーム２２０の端部に当たりフレーム２２０の移動を止める。
（５）図１２、図１５、図１７の（ｃ）に示すように、押え部２４２ｅは、フレーム２２０の上面をＺ２方向から押さえる。
【００２９】
（電源装置２５０）
図２、図３には電源装置２５０を示している。電源装置２５０は、基板取付部２２１の発光部２１０が取り付けられた面の反対側の面に固定される。電源装置２５０は、商用電源から供給される電力を、端子台１３０を介して発光部２１０に供給し、発光部２１０を点灯させる。電源装置２５０は、図示しない電源回路が内蔵され、長尺形状をした電源本体部２５１、端子台接続部１３２と接続する電源接続部２５２を備えている。
【００３０】
（連結金具２６０）
図５の（ｂ）に示すように、連結金具２６０は、略Ｌ形状をしている。連結金具２６０は、金具固定部２６１、バネ連結部２６２を備えている。連結金具２６０は、光源ユニット２００を器具本体１００に取り付ける取付機構の一方であり、取付機構の他方であるバネ１４０と係合する。金具固定部２６１は基板取付部２２１にネジなどの固定部品で固定される。バネ連結部２６２には、バネ１４０が引っ掛けられる連結開口部２６２ａが形成されている。連結開口部２６２ａとバネ１４０のバネ円弧部１４２とが係合し、光源ユニット２００は器具本体１００に固定される。
【００３１】
（光源ユニット２００の組み立て方法）
光源ユニット２００の組み立て方法を図１０の（ａ）から図１０の（ｄ）を用いて説明する。
【００３２】
＜第一蓋部取り付け工程＞
カバー２３０の第一押え部２３２ｂと第二押え部２３３ｂとは、押え部の対であって、長尺に形成されたフレーム２２０が挿し込み可能な長尺の溝２３８（図６、図７）を形成する押え部の対である。
第一蓋部取り付け工程では、第一押え部２３２ｂと第二押え部２３３ｂとを有する長尺に形成されたカバー２３０の長手方向Ｘの端部２３７に、カバー２３０の長手方向Ｘの端部２３７の変形を抑制する第一蓋部２４１を、溝２３８の端部２３９が露出する状態で取り付ける。図１０の（ａ）に示すように、作業者あるいは組み立て装置は、第一蓋部２４１をカバー２３０の長手方向Ｘの端部２３７に取り付ける。このとき、第一蓋部２４１の第一挿込み部２４１ａが、主カバー部２３１の内側に挿し込まれ、第二挿込み部２４１ｂが突設部２３３の開口２３３ａａに挿し込まれる。カバー２３０の小口であるカバー２３０の長手方向Ｘにおける端面は、第一蓋部２４１と当接し、熱溶着または接着剤のような接着により固定される。
このとき、第一挿込み部２４１ａが、主カバー部２３１の内側に挿し込まれ、第二挿込み部２４１ｂが、突設部２３３の開口２３３ａａに挿し込まれることで、カバー２３０の長手方向Ｘの端部２３７の変形が矯正される。
また、第二挿込み部２４１ｂが開口２３３ａａに挿し込まれることで、第一押え部２３２ｂと第二押え部２３３ｂとの間が基準の間隔より潰れているなどの変形を矯正できる。このため、フレーム２２０がカバー２３０へ挿し込みにくい、あるいは、挿し込めないといった不都合を解消できる。
図１１に示すように、第一蓋部２４１は、カバー２３０の長手方向Ｘの端部２３７に長手方向Ｘの端部２３７の開放状態を一部残した状態ではめ込まれている。第一蓋部２４１は、カバー２３０の長手方向Ｘの端部２３７にはめ込まれることで、カバー２３０の長手方向Ｘの端部２３７の変形を抑制する。
【００３３】
＜フレーム挿し込み工程＞
フレーム挿し込み工程では、第一蓋部２４１が取り付けられた後に、長手方向Ｘに沿って形成されている溝２３８の、露出している溝の端部２３９から、フレーム２２０を挿し込む。図１０の（ｂ）に示すように、図１０の（ａ）の状態から、作業者あるいは組み立て装置は、フレーム２２０をガイド部２４１ｆに沿って、第一押え部２３２ｂと第二押え部２３３ｂが形成する溝２３８に挿し込んでいく。
【００３４】
＜第二蓋部取り付け工程＞
第二蓋部取り付け工程では、第一蓋部２４１に第二蓋部２４２を取り付けることで、カバー２３０の長手方向Ｘの端部２３７を塞ぐ。図１０の（ｃ）に示すように、作業者あるいは組み立て装置は、フレーム２２０をカバー２３０に挿し込んだ状態で、第二蓋部２４２を第一蓋部２４１に取り付けて固定する。第二蓋部２４２は、上方向Ｚ１側から第一蓋部２４１に挿し込まれる。
このとき、
（Ａ）蓋本体部２４２ａの溝部２４２ａａが第一蓋部２４１の突起部２４１ｃに嵌るとともに、
（Ｂ）爪部２４２ｂが固定片２４１ｄに引っ掛かり、
（Ｃ）凸部２４２ｃが固定孔２４１ｅに嵌め込まれる。
図１８は溝部２４２ａａと突起部２４１ｃとの嵌合状態を示しており、図１４は爪部２４２ｂが固定片２４１ｄに引っ掛かる状態を示しており、図１９は凸部２４２ｃが固定孔２４１ｅに嵌め込まれた状態を示している。これら（Ａ）（Ｂ）（Ｃ）により、第二蓋部２４２は第一蓋部２４１に固定される。このように、第二蓋部２４２は、第一蓋部２４１に取り付けられ、カバー２３０の長手方向Ｘの端部２３７を塞ぐ。フレーム端部２２７には、保持部２４２ｄ（図１６の（ｄ））が間隔をあけて対向している。保持部２４２ｄはフレーム端部２２７が長手方向Ｘへ移動した場合、その移動を止める。
図１０の（ｃ）に示すように、カバー２３０の長手方向Ｘの端部２３７は、フレーム２２０の長手方向Ｘの端部であるフレーム端部２２７とともに開口２０１を形成しており、図１０の（ｃ）に示すように、第二蓋部２４２は、開口２０１を塞いでいる。なお、第二蓋部２４２は、第一蓋部２４１に着脱可能に取り付けられる。図１１に示すように、光源ユニット２００は、第二蓋部２４２が取り外されている状態で、フレーム端部２２７の端面２２８が開口２０１に露出している状態である。
【００３５】
＊＊＊実施の形態１の効果＊＊＊
（１）実施の形態１では、端部ユニット２４０が、第一蓋部２４１と第二蓋部２４２とを備えている。第一蓋部２４１はカバー２３０の長手方向Ｘの端部２３７の形状を規制あるいは矯正するようにカバー２３０に取り付けられるので、フレーム２２０をカバー２３０に容易に挿し込むことができる。よって、カバーとフレームとを長手方向において係合させることで組み立てられる光源ユニットの組み立て性を向上できる。
（２）フレーム２２０をカバーに挿し込むときに、第一蓋部２４１がカバー２３０の長手方向Ｘの端部２３７の形状を規制するので、樹脂部品であるカバー２３０の内側に金属部品であるフレーム２２０がぶつかるのを抑制し、カバー２３０の損傷を抑制できる。
つまり、従来では、光源ユニットでは、カバーとフレームを長手方向から係合させて、光源ユニット２００を組み立てているが、カバーは長手端部の開口の形状が変形していることがある。その為、フレームとの係合時にスライドし難い場合がある。
その場合、金属材で形成されたフレームが、樹脂で形成されたカバーを削ってしまい、カバー内側に傷が付くことが考えられるが、実施の形態１の光源ユニット２００は端部ユニット２４０を有するので、フレームがカバーを削ることを防止できる。
【００３６】
なお、第二蓋部２４２の保持部２４２ｄは、フレーム２２０の長手方向の端部であるフレーム端部２２７に対向しており、長手方向Ｘへのフレーム２２０の移動を規制するが、基板２１１にフレーム２２０を抑える機構をもたせても良い。
また、第二蓋部２４２に基板２１１と電源装置２５０をつなぐ図示しない電線を保持する機構を持たせても良い。
【００３７】
＜変形例１＞
次に、図２０〜図２１を用いて、実施の形態１の光源ユニット２００の変形例１である光源ユニット２００−１を説明する。図２０は、光源ユニット２００−１を示す図である。図２１は、光源ユニット２００−１の組み立て方法を示す図である。実施の形態の変形例１である光源ユニット２００−１は、Ｌ字状のフレーム２２０−１を有している。また、光源ユニット２００−１は、Ｌ字状のフレーム２２０−１に係合する非対象形状のカバー２３０−１を有している。光源ユニット２００−１は、図２１に示すように、第一蓋部２４１−１と第二蓋部２４２−１からなる、端部ユニット２４０−１を有している。端部ユニット２４０−１では、第二蓋部２４２−１が、第一蓋部２４１−１に、長手方向Ｘから取り付けられる。
【００３８】
このように、短手方向Ｙにおいて非対象形状である光源ユニット２００−１でも、光源ユニット２００と同様な効果を得ることができる。
【００３９】
＜変形例２＞
図２２は、光源ユニット２００の変形例２である光源ユニット２００−２を示す。図２２の（ａ）は、カバー２３０−２に第一蓋部２４１−２が取り付けられている状態で、フレーム２２０−２が挿し込まれる状態を示す。図２２の（ｂ）は、フレーム２２０−２が挿し込まれた状態で、第二蓋部２４２−２が第一蓋部２４１に取り付けられる状態を示す。図２２の（ｃ）は、第二蓋部２４２−２が第一蓋部２４１に取り付けられた状態を示す。図２２の（ｄ）は、第一蓋部２４１−２のＸ方向（図２２の（ｂ））からみた概略図である。
【００４０】
図２２に示すような、連結部材である固定片２４１ｄ−２と、爪部２４２ｂ−２とを持った、端部ユニット２４０−２でも良い。光源ユニット２００−２は光源ユニット２００−１に対して、第一蓋部と第二蓋部との境界を変更したバリエーションにあたる。
光源ユニット２００−２の特徴は第一蓋部２４１−２の形状にある。第二蓋部２４２−２は、一対の爪部２４２ｂ−２が第一蓋部２４１−２の固定片２４１ｄ−２に引っ掛かることで、第一蓋部２４１−２に装着される。
ここで、連結部材である固定片２４１ｄ−２は、図２２の（ｄ）に示すように、楕円の破線で示す開口両端を連結している。このため、図２２の（ｄ）において、Ｙ１−Ｙ１方向のように開口を縮小しようとする力が加わる場合や、Ｙ２−Ｙ２方向のように開口を拡げようとする力が加わる場合にでも、固定片２４１ｄ−２によって、第一蓋部２４１−２は変形しない。図８に示す第一蓋部２４１は全体がＵ字形状であり、固定片２４１ｄ−２に相当する部材がないため、図２２の（ｄ）のＹ１−Ｙ１方向の力、あるいはＹ２−Ｙ２方向の力に対して、第一蓋部２４１−２よりも剛性が低くなる。
【００４１】
実施の形態２．
実施の形態２の光源ユニット２００Ａを説明する。実施の形態２は、光源ユニット２００Ａのカバー２３０の凸部２３５に特徴がある。凸部２３５は、実施の形態１で述べた突設部２３３の挿込部２３３ａである。光源ユニット２００Ａに関しては、凸部２３５の他は実施の形態１の光源ユニット２００と同様であるので、実施の形態１と異なる点のみ説明する。光源ユニット２００Ａは、実施の形態１の器具本体１００に取り付けることで、器具本体１００とともに照明装置１を構成する。
【００４２】
図２３は光源ユニット２００Ａの断面図である。図示はしていないが、光源ユニット２００Ａでは、その一部が、器具本体１００の収容凹部１１１に収容されている。図２３の基準線４０１は光源ユニット２００Ａの一部が収容される収容凹部１１１に対して、図２の基準線４０１と同じ位置に存在する。つまり、光源ユニット２００Ａにおいて、図２３の基準線４０１よりも上側の部分が収容凹部１１１に収容される。図２３に示すように、補強部である凸部２３５は収容凹部１１１も収容される。
【００４３】
図２３を用いて、光源ユニット２００Ａの特徴である、カバー２３０の剛性に関して説明する。実施の形態１の光源ユニット２００は、軽量化の為、フレーム２２０を薄型化している。その為、長尺に形成された光源ユニット２００は、たわみ易くなる。そこで、光源ユニット２００Ａでは、凸部２３５を補強部として用いて、カバー２３０剛性を上げることで、光源ユニット２００Ａの剛性を上げている。構成としては、カバー２３０の挿込部２３３ａのうちフレームの固定に関与しない箇所である凸部２３５を補強部とすることで、カバー２３０の剛性を向上させている。
【００４４】
＊＊＊構成の説明＊＊＊
図２３に示すように、主カバー２３０は、凸部２３５を備えている。
図２３には一対の凸部２３５を凸部２３５−１、凸部２３５−２としているが、区別の必要がない場合は凸部２３５と記す場合がある。
（１）凸部２３５は、主カバー部２３１との間でフレーム２２０を挟む位置に配置されている。
（２）凸部２３５は主カバー部２３１から離れる方向へ突設し、かつ、図１０の（ａ）に示すように長手方向Ｘにそって突設する。
（３）図２３に示すように、凸部２３５−１及び凸部２３５−２は、長手方向Ｘを法線方向とする断面において、突設する方向に凸となる外形であり内部に空間が形成されている、くり抜き凸形状の断面形状である。くり抜き凸形状は、図２３に示すように、Ｕ字形状あるいはヘアピンカーブ形状である。
【００４５】
凸部２３５は、くり抜き凸形状の一部の厚みが、その一部以外の部分の厚みよりも長手方向Ｘに連続して厚い。図２３に示すように、図２３の左側の凸部２３５では、
厚み△ｔ２＞厚み△ｔ１
である。
また、
図２３の右側の凸部２３５では、
厚み△ｔ４＞厚み△ｔ３である。
【００４６】
図２３を具体的に説明すれば、以下のようである。
（１）カバー２３０は、凸部２３５である第一の凸部２３５−１と、凸部２３５である第二の凸部２３５−２とを備えている。
（２）第一の凸部２３５−１と第二の凸部２３５−２とは、対向して配置されている。
（３）第一の凸部２３５−１は、くり抜き凸形状の断面において、第二の凸部２３５−２から離れる方向である外側方向４０２の厚み△ｔ２の方が、第二の凸部２３５−２に近づく方向である内側方向４０３の厚み△ｔ１よりも厚い。
（４）第二の凸部２３５−２は、くり抜き凸形状の断面において、第一の凸部２３５−１から離れる方向である外側方向４０４の厚みの方が、第一の凸部２３５−１に近づく方向である内側方向４０５の厚みよりも厚い。
【００４７】
＊＊＊実施の形態２の効果＊＊＊
凸部２３５の特徴及び効果をまとめると以下のようである。
（１）凸部２３５を部分的に肉厚にすることでカバー２３０の剛性及び強度を向上させている。また、一つの凸部２３５はくり抜き凸形状として二重に構成されており、内側が中空形状であるので、一方側だけを極端に厚くせずに両方で剛性を得るようにすることができる。よって、材料厚さ差による成形不良を起こしにくい構成にすることができる。つまり、従来の照明装置ではフレームが板状に薄く形成されているので、フレームがたわみやすく、結果として光源ユニットがたわむことも考えられた。これに対して、光源ユニット２００Ａでは、フレームを板状に薄く形成した場合であっても、カバー２３０の有する凸部２３５で剛性及び強度を向上させるので、フレーム及び光源ユニットがたわむことを抑制できる。よって、カバーとフレームとを長手方向において係合させることで組み立てられる光源ユニットの組み立て性を向上できる。
（２）凸部２３５については樹脂材だけで剛性を向上させているので、金属部材の肉厚化に比べて軽量化できる。また、凸部２３５はフレーム２２０に係合しない部分であるので、形状をある程度自由に形成できる。
（３）凸部２３５は収容凹部１１１に収容される部分であるので、光源ユニット２００の光学性能に影響を与えることなく強度を向上できる。
（４）凸部２３５は、上方向Ｚ１側に突設している。よって、上下方向Ｚへの変形に対する断面性能が向上しており、カバー２３０は、たわみにくくなっている。
（５）カバー２３０の剛性向上により、フレーム２２０に取り付けられた基板２１１に発生する応力を低減できる。また、器具本体１００の収容凹部１１１との間にたわみによる隙間ができるのを抑制できる。
（６）カバー２３０によって強度を向上させたので、金属部材であるフレーム２２０の部材量を少なくできる。よって、光源ユニットを軽量化できる効果がある。
（７）光源ユニット２００の軽量化により、バネ１４０及び器具本体１００に対する負荷を軽減できる。
（８）光源ユニット２００の軽量化により、作業者による光源ユニット２００の器具本体１００への取り付け作業、取り外し作業の負荷を軽減できる。
【００４８】
実施の形態３．
次に、新たな部材を追加することで光源ユニットの剛性を向上させることができる、実施の形態３である光源ユニット２００Ｂを説明する。光源ユニット２００Ｂは、光源ユニット２００と主な構成は同じであるので、光源ユニット２００と異なる点を説明する。実施の形態３は、光源ユニット２００Ｂの収納部３１０に特徴がある。光源ユニット２００Ｂは、実施の形態１の器具本体１００に取り付けることで、器具本体１００とともに照明装置１を構成する。
【００４９】
図２４は、光源ユニット２００Ｂの断面図である。図２４を用いて、光源ユニット２００Ｂを説明する。
【００５０】
光源ユニット２００Ｂでは、カバー２３０が、主カバー部２３１と反対側に収納部３１０を有している。収納部３１０は、中空状に突設した形状である。具体的には、収納部３１０は、主カバー部２３１との間にフレーム２２０を挟む位置に配置される。収納部３１０は、補強材３２０を着脱自在に収納する。図２４では、収納部３１０は、カバー２３０と一体に形成されている。
【００５１】
（補強材３２０）
収納部３１０は、実施の形態２で述べた、補強部の機能を有する凸部２３５と同様な効果も有するとともに、中空状の中空部に補強材３２０を収納可能である。補強材３２０は、光源ユニット２００Ｂと同等の長さであり、長手方向Ｘの端部側から挿入される。光源ユニット２００Ｂは、挿入する補強材３２０の長さを変えることで、補強材３２０から得られる強度を変更できる。例えば、光源ユニット２００Ｂが蛍光灯４０Ｗ相当の長さに形成されたときには、補強材３２０を用いず、光源ユニット２００Ｂが蛍光灯８０Ｗ相当の長さに形成されたときには収納部３１０を用いる。このように、光源ユニット２００を、長さに適した強度にできる。なお、補強材３２０は、収納された後に、収納部３１０の長手方向Ｘの端部が端部ユニット２４０に塞がれ、収納部３１０に収容される。
【００５２】
収納部３１０を有するバリエーションとしては、図２５、図２６に示す構成でも良い。
【００５３】
図２５に示す光源ユニット２００Ｂ−１では、収納部３１０−１が補強材３２０−１を引掛ける形状である。図２５では、収納部３１０−１は、カバー２３０−１と一体に形成されている。
【００５４】
図２６に示す光源ユニット２００Ｂ−２は、フレーム２２０−２に収納部３１０−２が形成されている。収納部３１０−２は、フレーム２２０−２と一体に形成されてもよい。
【００５５】
図示はしていないが、光源ユニット２００Ｂでは、その一部が、器具本体１００の収容凹部１１１に収容されている。図２４の基準線４０１は、光源ユニット２００Ｂの一部が収容される収容凹部１１１に対して、図２の基準線４０１と同じ位置に存在する。つまり、光源ユニット２００Ｂにおいて、図２４においても、基準線４０１よりも上側の部分が収容凹部１１１に収容される。図２４に示すように、収納部３１０は収容凹部１１１に収容されている。また図２４に示すように、収納部３１０に収容される補強材３２０も、収容凹部１１１に収容される。上記の説明は図２５、２６の光源ユニット２００Ｂ−１、光源ユニット２００Ｂ−２について同様である。
【００５６】
＊＊＊実施の形態３の効果＊＊＊
（１）実施の形態３では、光源ユニット２００Ｂが補強材を収納できる収納部３１０を有していることで、光源ユニット２００Ｂの長さに適する強度にできる。よって、光源ユニットの部品共通化ができるとともに、過剰スペックを避けることができる。
（２）また、従来の照明装置ではフレームが板状に薄く形成されているので、フレームがたわみやすく、結果として光源ユニットがたわむことも考えられた。これに対して、光源ユニット２００Ｂでは、フレームを板状に薄く形成した場合であっても、カバー２３０の有する収納部３１０に補強材３２０を収納することで、光源ユニットの剛性及び強度を向上させるので、フレーム及び光源ユニットがたわむことを抑制できる。よって、カバーとフレームとを長手方向において係合させることで組み立てられる光源ユニットの組み立て性を向上できる。
【００５７】
以上の実施の形態１から実施の形態３では、器具本体１００に端子台１３０を設け、光源ユニット２００に電源装置２５０を設ける仕様について説明を行なった。しかし、器具本体１００が電源装置２５０を備え、光源ユニット２００が端子台１３０を備える仕様でも良いし、どちらか一方が端子台１３０と電源装置２５０との両方を備える仕様でも良い。
【００５８】
以上の実施の形態１から実施の形態３では、器具本体１００は逆富士型形状を用いて説明した。しかし、器具本体１００は逆富士型形状に限らず埋め込み型形状の器具本体でも良いし、トラフ形状の器具本体でも良い。
【００５９】
以上の実施の形態１から実施の形態３では、器具本体１００にバネ１４０が配置され、光源ユニット２００に連結金具２６０が配置される構成を説明した。しかし、器具本体１００に連結金具２６０が配置され、光源ユニット２００にバネ１４０が配置される構成でもよい。
【００６０】
以上、本発明の実施の形態１から実施の形態３について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６１】
１  照明装置、１００  器具本体、１１０  取付部、１１１  収容凹部、１１１ａ  底部、１１１ａａ  電源引込孔、１１１ａｂ  固定孔、１１１ｂ  側部、１１１ｃ  開口、１１２  傾斜部、１２０  側板、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００，２００−１，２００−２，２００−３，２００Ａ，２００Ｂ  光源ユニット、２０１  開口、２１０  発光部、２１１  基板、２１２  発光素子、２１３  端面、２２０  フレーム、２２１  基板取付部、２２２  フレーム側部、２２３  固定部、２２３ａ  側部端部、２２７  フレーム端部、２２８  端面、２３０  カバー、２３１  主カバー部、２３２  内側部、２３２ａ  反射部、２３２ｂ  第一押え部、２３３  突設部、２３３ａ  挿込部、２３３ａａ  開口、２３３ｂ  第二押え部、２３４  カバー側部、２３５  凸部、２３６  フレーム固定部、２３７  長手方向Ｘの端部、２３８  溝、２３９  溝の端部、２４０  端部ユニット、２４１  第一蓋部、２４１ａ  第一挿込み部、２４１ｂ  第二挿込み部、２４１ｃ  突起部、２４１ｄ  固定片、２４１ｅ  固定孔、２４１ｆ  ガイド部、２４２  第二蓋部、２４２ａ  蓋本体部、２４２ａａ  溝部、２４２ｂ  爪部、２４２ｃ  凸部、２４２ｄ  保持部、２４２ｅ  押え部、２５０  電源装置、２５１  電源本体部、２５２  電源接続部、２５２ａ  電源電線、２５２ｂ  電源コネクタ、２６０  連結金具、２６１  金具固定部、２６２  連結部、２６２ａ  連結開口部、３１０  収納部、３２０  補強材、４０１  基準線、４０２  外側方向、４０３  内側方向、４０４  外側方向、４０５  内側方向。
【図１】
2019009095.tif 000003
【図２】
2019009095.tif 000004
【図３】
2019009095.tif 000005
【図４】
2019009095.tif 000006
【図５】
2019009095.tif 000007
【図６】
2019009095.tif 000008
【図７】
2019009095.tif 000009
【図８】
2019009095.tif 000010
【図９】
2019009095.tif 000011
【図１０】
2019009095.tif 000012
【図１１】
2019009095.tif 000013
【図１２】
2019009095.tif 000014
【図１３】
2019009095.tif 000015
【図１４】
2019009095.tif 000016
【図１５】
2019009095.tif 000017
【図１６】
2019009095.tif 000018
【図１７】
2019009095.tif 000019
【図１８】
2019009095.tif 000020
【図１９】
2019009095.tif 000021
【図２０】
2019009095.tif 000022
【図２１】
2019009095.tif 000023
【図２２】
2019009095.tif 000024
【図２３】
2019009095.tif 000025
【図２４】
2019009095.tif 000026
【図２５】
2019009095.tif 000027
【図２６】
2019009095.tif 000028